(57)【要約】【課題】従来の電話システムでは、会議通話にＢＧＭが流れるとシステム側でＢＧＭ装置の接続スイッチを手動でＯＦＦにしなければ会議の妨げになってしまうという問題点があり、会話が始まるまではＢＧＭを流し、会話が開始されるとＢＧＭを自動で停止することができ、会話の妨げにならないＢＧＭを提供して会議通話の利便性を向上させることができる電話システムを提供する。【解決手段】会議通話処理部２とＢＧＭ装置５との接続状態を切り替えるスイッチ６を通常はオンにしておき、ＢＧＭ制御部３が、会議通話処理部２からの送話音声信号中に音声を検出するとスイッチ６をオフに切り替える電話システムとしている。【選択図】　　　　図１
2004088211.tif 000002
【特許請求の範囲】
【請求項１】
特定の番号を発呼してきた端末から入力される送話音声信号を合成して前記各端末に受話音声信号を出力することにより前記端末間の会議通話を実現する会議通話処理部と、
音楽信号を前記会議通話処理部に出力するＢＧＭ装置と、
前記ＢＧＭ装置と前記会議通話処理部との接続状態をオン又はオフに切り替え、通常はオンの状態にしておくスイッチと、
前記会議通話処理部から会議通話の送話音声信号を入力し、前記送話音声信号中に音声を検出した場合に、前記スイッチをオフに切り替えるＢＧＭ制御部とを設けたことを特徴とする電話システム。
【発明の詳細な説明】
【０００１】
【発明の属する技術分野】
本発明は、参加型会議通話を行うことができる電話システムに係り、特に会議通話における利便性を向上させることができる電話システムに関する。
【０００２】
【従来の技術】
従来の構内ＰＨＳ無線システム等の電話システムとしては、無線端末又は有線電話機から特定の番号を発呼すると、参加型会議通話に参加できるものがあった。
また、従来の電話システムでは、会議通話の音声回線にＢＧＭを発生するＢＧＭ装置が接続されており、端末から会議通話に接続するとＢＧＭが流れるものがあった。
【０００３】
ここで、従来の電話システムの概略構成について図４を用いて説明する。図４は、従来の電話システムの構成ブロック図である。
図４に示すように、従来の電話システムは、システム全体の制御及び交換制御を行う主制御部１と、会議トランクを備え会議通話の制御を行う会議通話処理部２′と、構内各所に設けられたスピーカから放送や呼出を出力する有線ページング装置４と、ＢＧＭを発生するＢＧＭ装置５と、ＢＧＭ装置５のＯＮ／ＯＦＦを手動で切り替えるスイッチ６′と、構内の有線電話を制御する有線電話制御部７と、有線電話制御部７に接続された複数の有線電話機８と、構内無線通信の基地局を制御する基地局制御部９と、基地局制御部９に接続された複数の基地局１０と、利用者が携帯する携帯端末１１とから構成されている。
【０００４】
ここで、有線ページング装置４及びＢＧＭ装置５は、会議通話処理部２′に接続されており、特にＢＧＭ装置５は会議通話処理部２の音声ポートに接続され、会議通話処理部の制御により有線ページング装置４及び会議通話にＢＧＭが出力されるようになっている。
【０００５】
上記従来の電話システムにおける参加型会議通話時の動作について図４を用いて説明する。
会議通話処理部２′には、複数の座席、つまり音声回線の送受話ポートを備え、音声合成を行って会議通話を実現するための「会議室」が通常複数設けられている。そして、それぞれの「会議室」には予め対応する識別番号（特番）が付与されており、交換制御を行う主制御部１に記憶されている。
【０００６】
そして、任意の有線電話機８又は携帯端末１１から「会議室」の特番が発呼されると、主制御部１は、発呼者を会議通話処理部２の該当する「会議室」の送受話ポートに接続する。同様に、当該会議室の特番を発呼してきた発呼者があれば、主制御部１は送受話ポートの空きがある場合同一の「会議室」に接続する。
【０００７】
会議通話処理部２′は、同一の「会議室」に接続されている音声回線について、各ポートからの送話音声を合成して受話音声として出力するが、その際、自己の送話音声以外の送話音声を合成して受話音声とする合成処理を各々のポートについて行い、各ポート毎の受話音声を作成して主制御部１に出力する。そして、主制御部１が時分割で各々のポートに対して受話音声を送信する。
【０００８】
ここで、スイッチ６′がオンになっていると、ＢＧＭ装置５からのＢＧＭが会議通話の中に合成されて受話音声として各ポートに出力されるようになっている。
【０００９】
また、会議通話を実現する従来のシステムとしては、平成１３年１月３０日公開の特開２００１−２８６３１号「電話システム」（出願人：株式会社日立国際電気、発明者：杉野美智子）がある。
この従来技術は、会議トランクが、グループ通話を行う端末を接続しているポートのみを占有してそれ以外を開放しておき、グループ情報テーブルにグループ特番毎にグループ員とグループ員以外の参加の可否を記憶しておき、回線制御部が、グループ通話中にグループ員以外の端末からグループ特番が発呼されると、当該グループ特番がグループ員以外の参加が可能であれば、発呼者をグループ通話に参加させる電話システムとしており、会議トランクの有効利用を図り、多者同時通話を効率的に行うことができるものである。
【００１０】
【発明が解決しようとする課題】
しかしながら、従来の電話システムでは、会議通話処理部の音声回線にＢＧＭ装置が接続されていると、端末側においてはＢＧＭの出力を止めることができず、会議の妨げになり、システム側でＢＧＭ装置の接続スイッチを手動でＯＦＦにしてＢＧＭを停止させなければならず、不便であるという問題点があった。
【００１１】
本発明は上記実情に鑑みて為されたもので、会話が始まるまではＢＧＭを会議通話に流しておき、会話が開始されるとＢＧＭを自動で停止することができ、会話の妨げにならないＢＧＭを提供して会議通話の利便性を向上させることができる電話システムを提供することを目的とする。
【００１２】
【課題を解決するための手段】
上記従来例の問題点を解決するための本発明は、特定の番号を発呼してきた端末から入力される送話音声信号を合成して各端末に受話音声信号を出力することにより端末間の会議通話を実現する会議通話処理部と、音楽信号を会議通話処理部に出力するＢＧＭ装置と、ＢＧＭ装置と会議通話処理部との接続状態をオン又はオフに切り替え、通常はオンの状態にしておくスイッチと、会議通話処理部から会議通話の送話音声信号を入力し、送話音声信号中に音声を検出した場合に、スイッチをオフに切り替えるＢＧＭ制御部とを設けた電話システムとしており、会議通話において会話が開始されるとその音声を検出してスイッチをオフにして会議通話へのＢＧＭ音楽の出力を停止することができ、最初に会議通話に接続した参加者はＢＧＭ音楽を聞きながら他の参加者を待ち、複数の参加者が接続して会話が始まった場合には、特別な操作をしなくてもＢＧＭ音楽を停止して会議を妨げないようにすることができる。
【００１３】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１４】
本発明に係る電話システムは、会議通話で会話が開始された場合に、その音声を検出して、ＢＧＭ装置と会議通話処理部とを接続するスイッチをオフにする手段を備えており、会議通話の参加者は、会議が開始されるまではＢＧＭを聞いて他の参加者が集まるまで待っていることができ、参加者が集まって会話が開始されると、手動でスイッチをオフにすることなくＢＧＭが自動的にオフになって会議の邪魔にならず、利便性を向上させることができるものである。
【００１５】
本発明の実施の形態に係る電話システムについて図１を用いて説明する。図１は、本発明の実施の形態に係る電話システム（本システム）の構成ブロック図である。
図１に示すように、本システムの基本的な構成は図４に示した従来の電話システムとほぼ同様であり、従来と同様の部分として、システム全体の制御及び交換制御を行う主制御部１と、有線ページング装置４と、ＢＧＭ装置５と、有線電話制御部７と、有線電話機８と、基地局制御部９と、基地局１０と、携帯端末１１とを備え、本システムの特徴として新たに会議通話処理部２に接続するＢＧＭ制御部３と、ＢＧＭ装置５と会議通話処理部２との接続をＢＧＭ制御部３からの指示に従ってオン又はオフに切り替えるスイッチ６とを備えている。また、会議通話の処理を行う会議通話処理部２の構成及び動作が従来とは一部異なっている。
【００１６】
本システムの特徴部分について具体的に説明する。
ＢＧＭ制御部３は、会議通話処理部２とＢＧＭ装置５とを接続するスイッチ６のオン／オフを切り替えるものであり、具体的には、通常はスイッチ６をオンにしておき、会議通話の会話が始まるとスイッチ６をオフにするものである。
【００１７】
更に、ＢＧＭ制御部３は、会議通話処理部２から送話音声を入力して、音声を検出する音声検出部３１と、音声検出部３１からの検出信号に従ってスイッチ６を切り替える切替手段３２とから構成されている。
【００１８】
そして本システムでは、会議通話処理部２に設けられた３つの会議室にそれぞれ対応して、３組のスイッチ６が設けられているものである。つまり、ＢＧＭ装置５は、常時オン状態であり、通常は３つの会議室にＢＧＭを出力しているが、会議が開始されると、ＢＧＭ制御部３の制御により当該会議室に対応したスイッチ６がオフに切り替えられ、当該会議室へのＢＧＭの出力が停止されるものである。
【００１９】
本システムの参加型会議通話時の動作について図１を用いて簡単に説明する。本システムの参加型会議通話時の基本的な動作は従来の電話システムと同様であり、任意の有線電話機８又は携帯端末１１から会議室の特番が発呼されると、主制御部１が当該発呼者を会議通話処理部２の特番に対応して設けられている音声回線ポートに接続する。ここで、上述したようにＢＧＭ装置５は、通常は会議室にＢＧＭを出力している。
これにより、最初に特番に発呼した参加者は、会議通話の受話音声としてＢＧＭを聞くことになるものである。
【００２０】
そして、本システムの特徴として、別の参加者が当該特番を発呼して接続され、参加者のいずれかが声を発した場合、その送話音声が会議通話処理部２からＢＧＭ制御部３に入力され、ＢＧＭ制御部３の音声検出部３１が音声を検出すると、切替手段３２に検出信号を出力し、切替手段３２がスイッチ６をオフに切り替える。
【００２１】
これにより、最初に特番に発呼した参加者は、ＢＧＭを聞きながら他の参加者の参加を待つことができ、他の参加者が参加して会話が始まると、ＢＧＭをオフにすることができ、会議や会話の妨げにならないようにすることができ、利便性を向上させることができるものである。
【００２２】
次に、本システムの制御を行う部分を、図２を用いて実際の基板に対応付けて説明する。図２は、本システムの制御を行う部分を基板に対応付けた説明図である。
図２に示すように、本システムは、制御装置４０と、有線ページング装置４と、ＢＧＭ装置５と、有線電話機８と、基地局１０と、携帯端末１１とから構成されている。ここで、有線ページング装置４と、ＢＧＭ装置５と、有線電話機８と、基地局１０と、携帯端末１１とは図１に示したものと同一である。
【００２３】
更に、制御装置４０の内部には、ＭＣＰ（Ｍａｉｎ　Ｃｏｎｔｒｏｌ　Ｐｒｏｃｅｓｓｏｒ）基板４１と、ＢＳＩＦ（Ｂａｓｅ　Ｓｔａｔｉｏｎ　Ｉｎｔｅｒｆａｃｅ）基板４２と、ＰＣＵ（Ｐａｇｉｎｇ　ＣｏｎｔｒｏｌＵｎｉｔ）基板４３と、ＣＯＴ（Ｃｏｎｔｒｏｌ　Ｏｆｆｉｃｅ　Ｔｒａｎｓｌａｔｏｒ）基板４４と、ＲＬＣ（Ｒｅｌａｙ　Ｃｏｎｔｒｏｌｌｅｒ）基板４５が備えられている。
【００２４】
ＭＣＰ基板４１は、図１に示した主制御部１に相当するものであり、システム全体の制御及び交換制御を行うものである。
ＢＳＩＦ基板４２は、図１に示した基地局制御部９に相当するものであり、複数の基地局１０を統括して無線通信の制御を行うものである。
【００２５】
ＰＣＵ基板４３は、図１に示した会議通話処理部２に相当し、有線ページング装置インタフェースを備え、有線ページング装置４及びＢＧＭ装置５が接続されている。そして、ＰＣＵ基板４３は、会議通話に伴う音声合成処理を行うと共に、ＢＧＭ装置５からのＢＧＭを有線ページング装置４に出力したり、会議通話のポートに出力するものである。
【００２６】
ＣＯＴ基板４４は、図１に示した有線電話制御部７に相当するものであり、有線電話機８の通信制御を行うものである。
また、ＲＬＣ基板４５は本システムの特徴部分であり、図１に示したＢＧＭ制御部３に相当するものである。そして、ＲＬＣ基板４５は、ＰＣＵ基板４３からの会議通話の音声を検出して（音声モニター）、それに基づいて接点を起動し（接点起動）、それにより会議通話へのＢＧＭのオン／オフを切り替えるものである。
【００２７】
次に、本システムの特徴部分であるＲＬＣ基板４５の回路について図３を用いて説明する。図３は、本システムのＲＬＣ基板４５の回路構成を示す説明図である。
図３では、左側にＰＣＵ（Ｐａｇｉｎｇ　Ｃｏｎｔｒｏｌ　Ｕｎｉｔ）基板４３を、右側にＲＬＣ（Ｒｅｌａｙ　Ｃｏｎｔｒｏｌｌｅｒ）基板４５を示している。尚、上述したように、ＰＣＵ基板４３は、図１に示した会議通話処理部２に相当し、ＲＬＣ基板４５は、ＢＧＭ制御部３に相当している。
【００２８】
図３に示すように、ＰＣＵ基板４３には、「会議室」毎に、会議通話の送話音声（通話者からの音声）を合成して出力する５１が設けられている。
また、ＰＣＵ基板４３には、ＢＧＭ装置５からのＢＧＭを入力して各会議通話の受話音声に出力する２ＷＩＲＥインタフェース５３と、２ＷＩＲＥインタフェース５３へのＢＧＭの出力のオン／オフを切り替える接点入力５４が設けられている。
【００２９】
ＲＬＣ基板４５には、２ＷＩＲＥインタフェース６１と、検出レベル調整部６２と、音声検出部６３と、リレー制御部６４と、リレー回路６５と、バックボードインタフェース部６６とが設けられている。
【００３０】
各構成部分について具体的に説明すると、２ＷＩＲＥインタフェース６１は、各端末から送信された送話音声をＰＣＵ基板４３から入力するものであり、客先のシステムに合わせて平衡／不平衡を切替可能とし、更に、インピーダンス６００Ω／ハイインピーダンスを切替可能としているものである。
【００３１】
検出レベル調整部６２は、ボリュームに相当する可変抵抗器（ＡＴＴ）と、増幅器（ＡＭＰ）とを備え、２ＷＩＲＥインタフェース６１から入力された音声のレベルをボリュームに応じて増幅し、調整して出力するものである。
【００３２】
音声検出部６３は、入力された信号中から音声帯域の周波数を検出し、音声を検出した場合に、リレー検出部６４に検出信号を出力するものである。
【００３３】
リレー制御部６４は、内部にタイマ（図示せず）を設け、音声検出部６３からの検出信号が入力された場合にタイマを起動して、タイムアウトすると、リレー回路６５を起動するものである。尚、タイマのタイムアウトする時間は任意に設定可能としている。
【００３４】
リレー回路６５は、リレー制御部６４から起動指示が入力されると、接点のメイク／ブレイクの切替を行うものである。尚、接点の初期状態はシステムのインタフェースに応じて、メイク（閉）又はブレイク（開）のいずれかに設定可能なものであるが、初期状態がいずれであっても、ＰＣＵ基板４３の接点入力５４はオンとなっており、ＢＧＭの会議通話への送出はオンの状態になっている。ここでは初期状態が「閉」であるものとして説明する。
【００３５】
また、バックボードインタフェース部６５は、主制御部１から電源及びクロック信号の供給を受けて、それらをＲＬＣ基板４５全体に供給するものである。
そして、本システムのＲＬＣ基板４５では、２ＷＩＲＥインタフェース６１、検出レベル調整部６２、音声検出部６３、リレー制御部６４、リレー回路６５から成る回路の組を３組備えている。この３組の回路は、会議通話用の３つの会議室に対応しており、各会議室の送話音声へのＢＧＭ送出のオン／オフを切り替えるものである。
【００３６】
次に、ＲＬＣ基板４５の動作について図３を用いて説明する。
会議通話の特番が発呼されて、最初の参加者がＰＣＵ基板４３のポートに接続されると、ＰＣＵ基板４３から２ＷＩＲＥインタフェース５１を介して会議通話の送話音声がＲＬＣ基板４５の２ＷＩＲＥインタフェース６１に入力され、検出レベル調整部６２がボリュームに応じて検出レベルを調整して音声検出部６３に送話音声が出力される。
【００３７】
音声検出部６３に検出レベル調整部６２から送話音声信号が入力されると、音声検出部６３は音声帯域の周波数を検出する動作を行い、音声帯域の周波数を検出すると、リレー制御部６４に検出信号が出力される。
【００３８】
リレー制御部６４に検出信号が入力されると、リレー制御部６４は、制御信号を出力してリレー回路６５を起動し、接点を「閉」から「開」に切り替える。これによって、ＰＣＵ基板４３の接点入力５４がオフになって、２ＷＩＲＥインタフェース５３からの送話音声の出力が停止し、会議通話へのＢＧＭ送出が停止するものである。尚、リレー回路６５の接点の初期状態が「開」であれば、リレー制御部６４の制御により接点は「閉」に切り替えられて、２ＷＩＲＥインタフェース５３からの送話音声が停止するようになっている。
【００３９】
本発明の実施の形態に係る電話システムによれば、ＢＧＭ装置５と会議通話処理部２とを接続するスイッチ６を通常はオンにしておき、ＢＧＭ制御部３としてのＲＬＣ基板４５に音声検出部６３とリレー制御部６４とリレー回路６５とを設け、音声検出部６３が会議通話処理部２としてのＰＣＵ基板４３から会議通話の送話音声を検出すると検出信号を出力し、リレー制御部６４が、検出信号に応じてタイマを起動してタイムアップした場合にリレー回路６５を起動して接点を閉から開に切り替え、会議通話処理部２とＢＧＭ装置５との接点入力をオフにするようにしているので、最初に会議通話に接続した参加者は、ＢＧＭを聞きながら他の参加者を待つことができ、また、複数の参加者が接続して会話が始まった場合にはＢＧＭを手動でオフにしなくても自動的に停止することができ、会議の妨げにならないＢＧＭを提供して会議通話の利便性を向上させることができる効果がある。
【００４０】
【発明の効果】
本発明によれば、ＢＧＭ音楽を出力するＢＧＭ装置と端末間の会議通話を実現する会議通話処理部との接続状態をオン又はオフに切り替えるスイッチを通常はオンの状態としておき、ＢＧＭ制御部が、会議通話処理部から入力される会議通話の送話音声信号中に音声を検出した場合に、スイッチをオフに切り替える電話システムとしているので、会議通話において会話が開始されるとその音声を検出してスイッチをオフにして会議通話へのＢＧＭ音楽の出力を停止することができ、最初に会議通話に接続した参加者は他の参加者が集まるまでＢＧＭ音楽を聞きながら待ち、複数の参加者が接続して会話が始まった場合には、特別な操作をしなくてもＢＧＭ音楽を停止して会議を妨げないようにすることができる効果がある。
【図面の簡単な説明】
【図１】本発明の実施の形態に係る電話システム（本システム）の構成ブロック図である。
【図２】本システムの制御を行う部分を基板に対応付けた説明図である。
【図３】本システムのＲＬＣ基板４５の回路構成を示す説明図である。
【図４】従来の電話システムの構成ブロック図である。
【符号の説明】
１…主制御部、　２…会議通話処理部、　３…ＢＧＭ制御部、　４…有線ページング装置、　５…ＢＧＭ装置、　６…スイッチ、　７…有線電話制御部、　８…有線電話機、　９…基地局制御部、　１０…基地局、　１１…携帯端末、　３１…音声検出部、　３２…切替手段、　４０…制御装置、　４１…ＭＣＰ基板、４２…ＢＳＩＦ基板、　４３…ＰＣＵ基板、　４４…ＣＯＴ基板、　４５…ＲＬＣ基板、　５１…　　、　５２…　　、　５３…、　５４…　　、　６１…２ＷＩＲＥインタフェース、　６２…検出レベル調整部、　６３…音声検出部、　６４…リレー制御部、　６５…リレー回路、　６６…バックボードインタフェース
【図１】
2004088211.tif 000003
【図２】
2004088211.tif 000004
【図３】
2004088211.tif 000005
【図４】
2004088211.tif 000006